(57)【要約】【課題】流量開閉弁の開閉状態を１／ｆの情報に基づいて１／ｆゆらぎを制御を行っても、上流側の給水圧力が変動により、瞬時的に低くなったときにはミスト噴霧量が減少し、また給水圧力が瞬時的に高くなったときにはミスト噴霧量が増加することで、流量開閉弁の開閉状態以外の要因で１／ｆゆらぎにならないこという課題ある。このため上流側の給水圧力が変動に影響なく１／ｆゆらぎのミストが得られるミストサウナ制御装置を提供することを目的とする。【解決手段】ＤＣモータの回転数を制御手段１３から出力するデューティー比を可変することでＤＣモータへの印加電圧を可変して回転数を変動させ、加熱手段５により加熱された加湿空気およびノズル６から噴霧されるミストを循環空気としてサウナ室内に還元され、循環空気は１／ｆゆらぎ制御を行うことができる。【選択図】図１
2009034134.tif 000002
【特許請求の範囲】
【請求項１】
浴室内の空気を循環するための循環風路内に設けた循環ファンと、前記循環ファンを駆動するモータと、前記循環風路内に設置され循環する空気を加熱する加熱手段およびミストを噴射するミスト噴射手段と、前記循環ファンと、前記モータおよび前記ミスト噴射手段を制御してミストサウナ運転を行う制御手段とを備えたミストサウナ装置であって、前記制御手段は、前記循環ファンの作動により浴室内の空気を循環する循環空気が１／ｆゆらぎになるように制御を行うことを特徴とするミストサウナ装置。
【請求項２】
前記モータはＤＣモータを用いて、前記ＤＣモータの回転数を制御して、循環空気が１／ｆゆらぎになるように制御を行うことを特徴とする請求項１記載のミストサウナ装置。
【請求項３】
前記ＤＣモータに印加する電圧はデューティー比を可変することにより、回転数を制御することを特徴とする請求項１または２記載のミストサウナ装置。
【請求項４】
浴室内の温度を検知する温度センサを循環風路の入り口に備え、前記温度センサが所定値以下においては循環空気を１／ｆゆらぎにならないように制御を行うことを特徴とする請求項１、２または３記載のミストサウナ装置。
【請求項５】
前記温度センサが所定値以下においては循環気流を１／ｆゆらぎにならないように制御を行い、且つ前記ＤＣモータの回転数を増加させることを特徴とする請求項１、２、３または４記載のミストサウナ装置。
【請求項６】
浴室内の湿度を検知する湿度センサを循環風路の入り口に備え、前記湿度センサが所定値以下では、循環空気を１／ｆゆらぎにならないように制御を行うことを特徴とする請求項１、２、３、４または５記載のミストサウナ装置。
【請求項７】
前記湿度センサが所定値以下では、循環空気を１／ｆゆらぎにならないように制御を行い、且つ前記ＤＣモータの回転数を増加することを特徴とする請求項１、２、３、４、５または６記載のミストサウナ装置。
【請求項８】
前記ＤＣモータの回転数を検知する回転数検知手段を設け、前記回転数検知手段が第１の所定回転数以下もしくは、第２の所定回転数以上であれば、前記循環ファンを停止することを特徴とする請求項１、２、３、４、５、６または７記載のミストサウナ装置。
【請求項９】
前記ＤＣモータが異常であることを報知する報知手段を設け、回転数が異常であることを検知すれば、前記報知手段により報知することを特徴とする請求項１、２、３、４、５、６、７または８記載のミストサウナ装置。
【発明の詳細な説明】
【技術分野】
【０００１】
本発明は、浴室の天井に取り付けて、浴室内の暖房や換気を行うとともに、浴室内に吊した洗濯後の衣類を乾燥できる浴室暖房乾燥装置などに、ミスト発生装置を設け、浴室内をサウナ室として利用できるもので、浴室内に循環させる循環空気の制御を行うミストサウナ装置に関する。
【背景技術】
【０００２】
近年、浴室暖房乾燥装置にミスト発生装置を設け、浴室内をサウナ室として利用できるものが提案されている。
【０００３】
従来、この種のサウナ装置には、室内の温度を１００℃程度、相対湿度を１０％程度の高温低湿環境にするドライ式サウナや、室内の温度を４０〜５０℃程度、相対湿度を７０％以上程度の中高温高湿環境にするスチーム式サウナがある。近年、浴室やシャワー室等に設置し、浴室やシャワー室そのものをサウナルームとして使用可能とするサウナ装置が注目されており、スチーム式のものが種々提案されている。中でも温湿度設定手段を働かせてサウナ空間の温度を４０〜５０℃の範囲内に、湿度を８０〜１００％の範囲内に設定するものが知られている。更により快適性の効果をねらい、ミストを噴霧する流量を調節してミストが単調化しないものが知られている。（例えば特許文献１参照）。    
【０００４】
以下、そのミストサウナ装置について図１１を参照しながら説明する。
【０００５】
図５に示すように、サウナ空間１０４に霧状のミストを噴霧する噴霧部１０３を備え、この噴霧部１０３は温水を供給する温水供給部１０１の下流側の流路に流量制御弁１０２を介し、更に流量制御弁１０２の開閉量を１／ｆの情報に基づいて変化させる制御装置１０５を備え、流量制御弁１０２の開閉量と時間との関係に基づいて、ミスト噴霧量を１／ｆゆらぎの制御を行い、サウナ空間１０４が単調化するのを防止し使用者に対して快適感を与える機能を有している。
【特許文献１】特開２００１−８７３４１号公報
【発明の開示】
【発明が解決しようとする課題】
【０００６】
このような従来のミストサウナ装置では、温水供給部の上流側である風呂側などへ大量に温水を給水した場合もしくは停止した場合に上流側の給水圧力が変動することがあるため、これにより給水圧力の変動により瞬時的に低くなったときにはミスト噴霧部からサウナ空間へ噴霧する噴霧量が減少し、また給水圧力が瞬時的に高くなったときには噴霧量が増加することが生じる。従って流量開閉弁の開閉状態以外の要因でミスト噴射量が変化することにより、制御装置からの１／ｆゆらぎの情報に基づいてミスト噴霧量を１／ｆゆらぎを制御を行っても１／ｆゆらぎにならないこととなり快適感が得られないという課題があった。
【０００７】
本発明は、このような従来の課題を解決するものであり、浴室内の空気を循環する循環空気を１／ｆゆらぎに制御するものであり、ミストサウナ空間の快適感が得られるミストサウナ装置を提供することを目的としている。
【０００８】
また、１／ｆゆらぎ制御中に起こるＤＣモータの回転数が低い時、つまり循環空気の風量が少ないときには浴室内への加熱空気の投入量が減少してミストサウナ空間の立ち上り性能が悪化するという課題があり、浴室内の温度が所定値以下の場合には１／ｆゆらぎ制御を停止し、ＤＣモータの回転数を増加して風量を増加させることでミストサウナ空間の立ち上げ性能を悪化させることのないミストサウナ装置を提供することを目的としている。
【０００９】
また、浴室内の湿度が低い場合、つまりはミストサウナ空間に至っていない場合に１／ｆゆらぎ制御を行うと、モータの回転数低い時、つまり循環空気の風量が少ないときには、浴室内への加湿空気の投入量が減少してミストサウナ空間の立ち上り性能が悪化するという課題があり、浴室内の湿度が所定値以下の場合には１／ｆゆらぎ制御を停止し、ＤＣモータの回転数を増加して風量を増加させることでミストサウナ空間の立ち上げ性能を悪化させることのないミストサウナ装置を提供することを目的としている。
【００１０】
また、ＤＣモータが何らかの異常により所定の回転数よりも低い場合や高い場合は、ＤＣモータが異常状態であることが使用者にはわからないという課題があり、使用者にＤＣモータが異常状態であることを報知することにより知らしめることができるミストサウナ装置を提供することを目的としている。
【課題を解決するための手段】
【００１１】
本発明のミストサウナ装置は、上記目的を達成するために、浴室内の空気を循環する循環空気を１／ｆゆらぎ制御を行うように構成したものである。
【００１２】
この手段により、１／ｆゆらぎの循環空気が浴室内に循環されることミストサウナ空間の快適感が得られるミストサウナ装置が得られる。
【００１３】
また、本発明のミストサウナは、上記目的を達成するために、サウナ室内の温度を検知する温度センサが所定値以下であれば、１／ｆゆらぎ制御を停止しＤＣモータの回転数を増加して風量を増加させるように構成したものである。
【００１４】
この手段により、ミストサウナ空間の立ち上り性能を悪化させることのないミストサウナ装置が得られる。
【００１５】
また、本発明のミストサウナ装置は、上記目的を達成するために、サウナ室内の湿度を検知する湿度センサが所定値以下であれば、つまりはミストサウナ空間に至っていない場合には、１／ｆゆらぎ制御を停止しＤＣモータの回転数を増加して風量を増加させるように構成したものである。
【００１６】
この手段により、ミストサウナ空間の立ち上り性能を悪化させることのないミストサウナ装置が得られる。
【００１７】
また、ＤＣモータが何らかの異常により所定の回転数よりも低い場合や高い場合は、使用者にはわからないものであり、使用者にＤＣモータが異常の場合は報知するように構成したものである。
【００１８】
この手段により、使用者にＤＣモータが異常状態であることを知らしめるミストサウナ装置が得られる。
【発明の効果】
【００１９】
本発明によれば、浴室内の空気を循環する循環空気を１／ｆゆらぎ制御を行う構成にすることで、１／ｆゆらぎの循環空気が浴室内に循環されることでミストサウナ空間の快適感が得られるミストサウナ装置が得られる。
【００２０】
また、本発明によればサウナ室内の温度を検知する温度センサが所定値以下であれば、１／ｆゆらぎ制御を停止しＤＣモータの回転数を増加して風量を増加させるように構成することで、ミストサウナ空間の立ち上り性能を悪化させることのないミストサウナ装置を提供できる。
【００２１】
また、本発明によればサウナ室内の湿度を検知する湿度センサが所定値以下であれば、つまりはミストサウナ空間に至っていない場合には、１／ｆゆらぎ制御を停止しＤＣモータの回転数を増加して風量を増加させるように構成することで、ミストサウナ空間の立ち上り性能を悪化させることのないミストサウナ装置を提供することができる。
【００２２】
また、本発明によればＤＣモータが何らかの異常により所定の回転数よりも低い場合や高い場合は、使用者にはわからないものであり、使用者にＤＣモータが異常の場合は報知するように構成するもので、使用者にＤＣモータが異常状態であることを知らしめることができるミストサウナ装置を提供することができる。
【発明を実施するための最良の形態】
【００２３】
本発明の請求項１記載の発明のミストサウナ装置は、浴室内の空気を循環する循環空気を１／ｆゆらぎ制御を行う構成にしたものであり、１／ｆゆらぎの循環空気が浴室内に循環されることでミストサウナ空間の快適感が得られるミストサウナ装置を提供できる。
【００２４】
また、サウナ室内の温度を検知する温度センサが所定値以下であれば、１／ｆゆらぎ制御を停止しＤＣモータの回転数を増加して風量を増加させるように構成したものであり、ミストサウナ空間の立ち上り性能を悪化させることのないミストサウナ装置を提供できる。
【００２５】
また、サウナ室内の湿度を検知する湿度センサが所定値以下であれば、つまりはミストサウナ空間に至っていない場合には、１／ｆゆらぎ制御を停止し、ＤＣモータの回転数を増加して風量を増加させるように構成したものであり、ミストサウナ空間の立ち上り性能を悪化させることのないミストサウナ装置を提供できる。
【００２６】
また、ＤＣモータが何らかの異常により所定の回転数よりも低い場合や高い場合は、使用者にはわからないものであり、使用者にＤＣモータが異常の場合は、ブザーなどで報知するように構成したものであり、使用者にＤＣモータが異常状態であることを知らしめることができるミストサウナ装置を提供ができる。
【００２７】
以下、本発明の実施の形態について図面を参照しながら説明する。
【００２８】
（実施の形態１）
図１は本実施の形態のミストサウナ装置の全体構成を示す図である。
【００２９】
図はミストサウナ装置を天井に取り付けた状態の側面から見た一部断面の図で、下方が浴室などのサウナ室である。
【００３０】
開口した天井１にケーシング２が取り付けられ、ケーシング２内には仕切り板２ａで区分された一方の空間に循環ファン３とこの循環ファン３が駆動されたときに形成される循環風路４にヒータなどの加熱手段５とノズル６が配置されている。
【００３１】
ノズル６は、給水弁７を介して給水管８に接続され、この給水管８は水道（図示しない）に接続されていて、給水弁７を駆動することで水圧によりノズル６から数１０ミクロンから１００ミクロン程度のミストを図で下方に向けて噴射する。
【００３２】
このミストの噴射の下方にはルーバー９が設けられており、図の矢示のように往復回動してミストおよび空気流の向きを変える。
【００３３】
排気ファン１０は、ケーシング２内の仕切り板２ａで区分された他方の空間に設けられており、この排気ファン１０が駆動されたときに空気流１０ａが発生し、サウナ室内の空気が排気ダクト（図示せず）を通じて屋外に排出される。
【００３４】
上記構成において、循環ファン３の駆動でサウナ室内より吸入された循環空気は循環風路４を経て加熱手段５で加熱された後、ノズル６から噴霧されるミストと混合されて、暖められた空気とミストが循環空気としてサウナ室内に加熱空気および加湿空気が還元され、この動作の繰り返しによりサウナ室内が徐々に温湿度が上昇し、サウナ空間が得られることとなる。
【００３５】
制御装置１３は循環ファン３を駆動するための駆動回路が設けられ、ＣＰＵからの信号に応じてＤＣモータ２４が回転し循環ファン３が駆動する。
【００３６】
例えばサーミスタなどの温度センサ１１はサウナ室の空気の温度を検出できるように循環風路４の入り口に置かれ、水温センサ１２は給水管８に取り付けられている。制御装置１３はケーシング２の冷所に設けられている。
【００３７】
例えば高分子型湿度センサなどの湿度センサ２３は温度センサ１１と同様にサウナ室の空気の湿度を検出できるように循環風路４の入り口に置かれている。
【００３８】
図２は電気系の構成を示すブロック図である。
【００３９】
制御装置１３は、マイコン（マイクロコンピュータ）などのＣＰＵ１４を中心に構成されている。
【００４０】
ＣＰＵ１４の入力としては、前述の温度センサ１１と水温センサ１２と湿度センサ２３、１／ｆゆらぎ運転を設定するためのゆらぎ運転設定部１５および運転設定部１６が接続されている。
【００４１】
ＣＰＵ１４の出力として、例えばリレーなどの継電器１８、１９が接続され、これらにそれぞれ加熱手段５、給水弁７が接続されている。
【００４２】
更に、ステッピングモータなどの駆動手段２０、例えばトランジスタなどと継電器２１とが接続され、これらにそれぞれルーバー９と排気ファン１０とが接続されている。更に、ブザーなどの報知部２２が設けられている。
【００４３】
ゆらぎ運転設定部１５は使用者がサウナ運転開始時またはミストサウナ運転の途中に、ゆらぎ運転を設定するためのスイッチを押下するとＣＰＵ１４にその情報が伝達され、ゆらぎ運転が設定されたことを認識する。そしてこの信号を受け、ＣＰＵ１４にあらかじめ記憶されている１／ｆゆらぎパターンに相当する回転数を出力するためのデューティー比をＤＣモータの駆動回路１７に出力し所定の回転数にて循環ファン３を駆動する。
【００４４】
図３は循環ファン３の各ノッチを駆動するためのデューティー比のパターンを説明するための図である。
【００４５】
図に示すように循環ファン３の回転数を変化させるためのノッチは強、中および弱の３速から構成する。例えば強ノッチで運転するためにはＣＰＵ１４から出力するデューティー比をパルス幅が最も広いパターン、例えばＨｉ期間６６％にて出力すると、駆動回路１７で平均化され電圧が印加され、ＤＣモータ２４が回転することとなる。同様に、中ノッチで運転するためにはパルス幅が強ノッチのときよりも狭いパターン、例えばＨｉ期間５０％にて出力すると、ＤＣモータ２４は強ノッチよりも低い回転数で回転することとなる。更に弱ノッチで運転するためにはパルス幅が強ノッチおよび弱ノッチよりも狭いパターン、例えばＨｉ期間３３％にて出力するとＤＣモータ２４は強および中ノッチよりも更に低い回転数で回転することとなる。このことは回転数を変化させれば循環風量も変化することとなる。
【００４６】
図４は１／ｆゆらぎ運転時の循環ファンのノッチの時間推移を説明するための図である。
【００４７】
１／ｆゆらぎ運転における循環ファンの駆動パターンは循環ファンの強、中および弱ノッチとその駆動時間を逐次変化させていくものであり、１／ｆゆらぎ運転が開始されると、例えば強ノッチにて１０秒間運転後、中ノッチにて６秒間、更に弱ノッチにて１４秒間という具合に循環ファンを回転数を変化させることで、人体に感じるミスト循環空気の風量を変化するものであり、一定リズムではなく１／ｆゆらぎのパターンで感じることとなる。
【００４８】
なお、１／ｆゆらぎの１周期は例えば、１００秒にすればよい。
【００４９】
なお、本実施の形態１に記載した循環ファンのノッチは強、中および弱の３ノッチのみとしたが、パルス幅を任意に設定し少なくとも４ノッチ以上のデューティー比によって、循環ファンを変化させて１／ｆゆらぎパターンを構成しても同様の効果が得られる。
【００５０】
次に本発明による方法で運転した場合の制御装置１３の動作として図５を用いて説明する。
【００５１】
まず、Ｓ（ステップ）１において制御装置１３は、運転設定部１６のミストサウナ運転スイッチが押されると、Ｓ２でゆらぎ運転スイッチが設定されたかどうか判断し、設定されていればゆらぎ運転が設定されたことを読み込みＣＰＵ１４の内部に記憶する。
【００５２】
次にＳ３であらかじめ記憶された１／ｆゆらぎパターンのデューティー比によって、Ｓ５でＣＰＵ１４からＤＣモータの駆動回路１７に出力しＤＣモータ２４を駆動し、そしてＳ６で循環ファンが駆動する。次にＳ７で加熱手段５を駆動する。この結果サウナ室内に加熱空気が吹き出される。次にＳ８で給水弁７を駆動する。この結果サウナ室内にミストが噴射され加湿空気が吹き出される。そしてＳ９であらかじめ設定されている時間経過後にミスト運転を停止することとなる。なお、Ｓ３でゆらぎ運転が設定されていなければＳ３でそれぞれのノッチに応じた一定のデューティー比によりＤＣモータ２４を駆動し、以下同様の動作となる。以上により、循環空気を１／ｆゆらぎに制御することでミストサウナ空間の快適感が得られる。
【００５３】
（実施の形態２）
図６に、本実施の形態２におけるサウナ空間の温度−時間の構成図を示す。
【００５４】
なお、実施の形態１と同一のものは同一記号を付し、詳細な説明は省略する。
【００５５】
サウナ室内の温度を検知する温度センサ１１を循環風路４の入り口に備えるもので、ミストサウナ運転を開始すると、循環ファン３の駆動でサウナ室内より吸入された循環空気は循環風路４を経て加熱手段５で加熱された後、ノズル６から噴霧されるミストと混合されて、暖められた空気とミストが循環空気としてサウナ室内に加熱空気および加湿空気が還元され、この動作の繰り返しによりサウナ室内が徐々に温湿度が上昇する。一般的にサウナ室内の温度が３０℃以上であれば寒さを感じないとされているため、運転開始後から所定値としての３０℃に達していないにも関わらず１／ｆゆらぎ運転をすると、ゆらぎパターンによっては循環ファン３の回転数が低い場合があるため、そのときはサウナ室内への加熱空気の投入量が、回転数が高い場合に比べて減少することとなる。このためサウナ室内の温度が所定値としての３０℃に達するまでは（ｔ１）、１／ｆゆらぎ運転はしないものとし、ゆらぎ運転設定部１５でゆらぎ運転が設定されたとして強ノッチで運転を行い、所定値としての３０℃に達した後１／ｆゆらぎ運転を開始するものとする。
【００５６】
次に本発明による方法で運転した場合の制御装置１３の動作として図７を用いて説明する。
【００５７】
まず、Ｓ（ステップ）１０において制御装置１３は、運転設定部１６のミストサウナ運転スイッチが押されると、Ｓ１２でゆらぎ運転を設定するためのスイッチが設定されたかどうか判断し、設定されていればゆらぎ運転が設定されたことを読み込みＣＰＵ１４の内部に記憶する。
【００５８】
次に温度センサ１１にてサウナ室内の温度が所定値としての３０℃以上かどうかを判定し、３０℃以上ならＳ１４であらかじめ記憶された１／ｆゆらぎパターンのデューティー比をＣＰＵ１４から出力してＤＣモータ駆動回路１７を駆動しＳ１６でＤＣモータ２４を駆動し、そしてＳ１７で循環ファン３が駆動することとなる。更にＳ１８で加熱手段５を駆動する。この結果サウナ室内に加熱空気が吹き出される。次にＳ１９で給水弁７を駆動する。この結果サウナ室内にミストが噴射され加湿空気が吹き出される。そしてＳ２０であらかじめ設定されている時間経過後にミストサウナ運転を停止することとなる。なお、Ｓ１３で温度センサ１１が所定値としての３０℃以下を検知すれば、強ノッチのデューティー比で駆動し、循環風量を増加させサウナ室内への投入熱量を増加することにより、サウナ空間の立ち上り性能を悪化するのを防止できることとなる。
【００５９】
（実施の形態３）
図８に、本実施の形態３におけるサウナ空間の湿度−時間の構成図を示す。
【００６０】
なお、実施の形態１と同一のものは同一記号を付し、詳細な説明は省略する。
【００６１】
浴室内の湿度を検知する湿度センサ２３を循環風路４の入り口に備えるもので、ミストサウナ運転を開始すると加湿空気が浴室内へ流入され、徐々にサウナ室内の湿度が上昇する。一般的にサウナ室内の温度が７０％以上であればミストサウナ空間であることを体感できるとされているため、運転開始後から所定値としての７０％に達していないにも関わらず１／ｆゆらぎ運転をすると、ゆらぎパターンによっては循環ファン３の回転数が低い場合があるため、そのときはサウナ室内への加湿空気の投入量が、回転数が高い場合に比べて減少することとなる。このためサウナ室内の湿度が所定値としての７０％に達するまでは（ｔ２）、１／ｆゆらぎ運転はしないものとし、強ノッチで運転を行い、湿度センサ２３が所定値としての７０％に達した後１／ｆゆらぎ運転を開始するものとする。
【００６２】
次に本発明による方法で運転した場合の制御装置１３の動作として図９を用いて説明する。
【００６３】
まず、Ｓ（ステップ）２１において制御装置１３は、運転設定部１６のミストサウナ運転スイッチが押されると、Ｓ２２でゆらぎ運転スイッチが設定されたかどうか判断し、設定されていればゆらぎ運転が設定されたことを読み込みＣＰＵ１４の内部に記憶する。
【００６４】
次に湿度センサにてサウナ室内の湿度が所定値としての７０％以下かどうかを判定し、７０％以下ならＳ１４であらかじめ記憶された１／ｆゆらぎパターンのデューティー比をＣＰＵ１４から出力してＤＣモータの駆動回路１７を駆動しＳ２６でＤＣモータ２４を駆動し、そしてＳ２７で循環ファン３が駆動することとなる。更にＳ２８で加熱手段５を駆動する。この結果サウナ室内に加熱空気が吹き出される。次にＳ２９で給水弁７を駆動する。この結果サウナ室内にミストが噴射され加湿空気が吹き出される。そしてＳ３０であらかじめ設定されている時間経過後にミスト運転を停止することとなる。なお、Ｓ２３で湿度センサ２３が所定値としての７０％以下を検知すれば、強ノッチのデューティー比で駆動し、循環風量を増加させサウナ室内への加湿空気量を増加することにより、サウナ空間の立ち上り性能を悪化するのを防止できることとなる。
【００６５】
（実施の形態４）
図１０に、本実施の形態４における回転数検知手段の構成図を示す。
【００６６】
なお、実施の形態１と同一のものは同一記号を付し、詳細な説明は省略する。
【００６７】
ＤＣモータ２４内部に回転数を検知する回転数検知手段２５、例えばホールＩＣを設け、モータの回転に合わせ回転位置を検出しＣＰＵ１４にパルス情報として入力する。このパルスをＣＰＵ１４内部で演算処理することで回転数として常時ＤＣモータ２４の回転数を認識できることとなる。そしてこの回転数としての第１の所定回転数、例えば３００ｒ／ｍｉｎ以下もしくは、第２の所定回転数、例えば２５００ｒ／ｍｉｎ以上である場合にはＤＣモータの異常として処理し、ＣＰＵ１４からのデューティー出力を解除することとなる。そして、ブザー、あるいは、液晶画面などの報知手段によりＤＣモータが異常状態であることを報知して使用者に知らしめる。
【産業上の利用可能性】
【００６８】
以上のように本発明のミストサウナ装置は、ミストサウナ気流が１／ｆゆらぎのリズムで得られることにより住居用のサウナ装置はもとより、業務用などの他用途のミストサウナ装置にも適用できる。
【図面の簡単な説明】
【００６９】
【図１】本発明の実施の形態１のミストサウナ装置の全体構成を示す図
【図２】同制御装置の構成を示す図
【図３】同デューティー比と循環ファンのノッチを示す図
【図４】同循環ファンのノッチと運転時間の推移を説明するための図
【図５】同制御装置の運転動作を説明するためのフローチャート
【図６】本発明の実施の形態２のミストサウナ装置のサウナ室内温度と時間推移を示す図
【図７】同制御装置の運転動作を説明するためのフローチャート
【図８】本発明の実施の形態３のミストサウナ装置のサウナ室内湿度と時間推移を示す図
【図９】同制御装置の運転動作を説明するためのフローチャート
【図１０】本発明の実施の形態４の回転数検知手段のブロック図
【図１１】従来の同種のミストサウナ装置の全体構成を示す図
【符号の説明】
【００７０】
３    循環ファン
４    循環風路
５    加熱手段
６    ノズル
７    給水弁
８    給水管
９    ルーバー
１０  排気ファン
１１  温度センサ
１２  水温センサ
１３  制御装置
１４  ＣＰＵ
１５  ゆらぎ運転設定部
１６  運転設定部
１７  駆動回路
１８、１９、２１  継電器
２０  駆動手段
２２  報知部
２３  湿度センサ
２４  ＤＣモータ
２５  回転数検知手段
【図１】
2009034134.tif 000003
【図２】
2009034134.tif 000004
【図３】
2009034134.tif 000005
【図４】
2009034134.tif 000006
【図５】
2009034134.tif 000007
【図６】
2009034134.tif 000008
【図７】
2009034134.tif 000009
【図８】
2009034134.tif 000010
【図９】
2009034134.tif 000011
【図１０】
2009034134.tif 000012
【図１１】
2009034134.tif 000013